(57)【特許請求の範囲】
【請求項１】
面口部において面口部の上部外面にカメラが上下方向に回動及び固定可能に取り付けられたことを特徴とするカメラ外付型全面形面体。
【請求項２】
前記カメラの背面に取付具が水平軸を中心に回動自在に軸着され、前記カメラ及び取付具に、これらカメラ及び取付具が相対的に所定角度回動するごとに互いに係合して、前記カメラをその位置で固定する位置決め手段が設けられ、前記カメラが前記取付具によって前記面口部に着脱可能に取り付けられた請求項１に記載のカメラ外付型全面形面体。
【発明の詳細な説明】
【０００１】
【発明の属する技術分野】
本発明は、防塵マスク、防毒マスク、送気マスク、自動式呼吸器などに使用されている全面形面体において、面体に小型カメラを取り付け、有害粉塵、有害ガス雰囲気下の危険な現場状況を、現場外においてモニターできるカメラ外付型全面形面体に関する。
【０００２】
【従来の技術】
危険な現場で救助活動や修復作業を行う際、現場作業者の行動に対して、現場から離れたところにいて客観的に、且つ、冷静に判断できる監督者からの指示があれば、作業者の安全性及び作業効率が高まる。そのため、正確に監督者に現場の状況を報告する手段として、現場にカメラを持ち込み、現場状況を映像データとして送信することがある。
ところが、カメラを持ち込んで操作する作業者は、カメラが邪魔になって作業効率が低下する虞がある。
また、ヘルメット等の装備部品の一部に小型カメラを取り付けることもできるが、カメラ視点と作業者の視点との間にズレが生ずるなど問題が多い。
【０００３】
そこで、アイピース内の眉間位置近辺に小型カメラを取り付けたカメラつき全面形面体が、特開２０００−１１６８０５号公報に開示されている。
しかし、現場状況を正確に撮影するには、カメラの有効画素数が多くなるために、カメラ自身が大型化してしまうと共に、全面形面体を用いる危険地帯では照明も不十分なことが多いので、十分な明るさのレンズが必要であり、上記従来のカメラつき全面形面体において、実用的なカメラ及びレンズを使用すると、上方視野に極端な悪影響が出てしまう。
【０００４】
また、撮影する状況によって、より適切なレンズを使用すること、或いは、必要な映像に対応したレンズを使用することは、映像で状況報告を行うにあたってきわめて重要である。しかし、顔面とアイピースとの隙間は限られているため、上記従来のカメラつき全面形面体ではピンホールタイプ、単層式レンズなどしか使用できず、撮影目的に合わせたレンズ選定が不可能である。
さらに、上記従来のカメラつき全面形面体では、カメラ及びレンズが面体内部に取り付けられているため、カメラアングルを変更するにはマスクを脱着しなければならず、危険な現場においては、カメラアングルの変更が事実上不可能である。
【０００５】
【発明が解決しようとする課題】
この発明は、視野や装着性に悪影響を与えることが無く、カメラ視野と装着者の視野とにズレが生じず、他種類のレンズを使用可能で、カメラアングルを変更することができるカメラ外付型全面形面体を提供することを課題とする。
【０００６】
【課題を解決するための手段】
本発明のカメラ外付型全面形面体は、その面口部において面口部の上部外面にカメラが上下方向に回動及び固定可能に取り付けられている。
装着者の死角にあり、しかも、装着者の目と距離が近い面口部の上部を利用してカメラを取り付けた構成により、視野を遮って装着性が低下するのを防ぎ、カメラを回動可能とした構成と相俟って、カメラ視野と装着者の視野とのズレをほとんど無くすことができる。
カメラを面口部の外面に取り付けたことにより、レンズサイズの自由度が増し、状況に応じて多種類のレンズの使用が可能となり、カメラアングルも容易に変更できる。
【０００７】
カメラの背面に取付具を、水平軸を中心に回動自在に軸着し、カメラ及び取付具に、これらカメラ及び取付具が相対的に所定角度回動するごとに互いに係合して、前記カメラを位置決めする位置決め手段を設け、取付具によってカメラを面口部に着脱可能に取り付けても良い。
これにより、すでに製品化されている様々な種類の面体に、部品を変更することなくカメラを装着することができる。
【０００８】
【発明の実施の形態】
以下、本発明の実施形態を図面に基づいて詳細に説明する。
図１及び図２に示すように、本発明のカメラ外付型全面形面体１は、顔面全面を覆う面体本体２と、面体本体の裏面下部に設けられて、装着者の口及び鼻を覆うノーズカップ３と、面体本体２に取り付けられるカメラ４とを有する。
図３に示すように、面体本体２の上部において、装着者の目に相当する部分には、透孔が形成されると共に、この透孔の周縁に沿って目枠５が配設され、目枠５の内側に透明なアイピース６がはめ込まれている。
【０００９】
また、図１乃至図３に示すように、面体本体２の下部において、目枠５の下縁及びノーズカップ３によって遮られる下方視野限界線ａ（図２）よりも下方の、死角となっている部分には面口部７が形成され、この面口部７にホースジョイント８、伝声膜、排気弁などが装着されている。
ホースジョイント８には供給弁９及び吸気ホース１０が連結され、伝声膜の外面には、伝声膜を衝撃から保護するために伝声器カバー１１が装着されている。
なお、これらのホースジョイント８、供給弁９、吸気ホース１０、排気弁等の突出する部分は、視野を妨げないように装着者の口元より下方に配設されているため、下方視野限界線ａよりも下方において、面口部７にはホースジョイント８の上部に空部分Ａが形成される。
【００１０】
カメラ４は、１／３インチＭＯＳ式カメラ等の解像度の高いものを使用し、面体本体２の中心線上において、面口部７の上部に形成された空部分Ａに設置される。また、レンズ１２としては、低照明に対応できる多層式レンズを使用し、水平画角４４°〜１１２°のものを交換可能としてある（図４）。
カメラ４からはケーブル１５が延出され、このケーブル１５によってカメラ４と映像を伝送信号に変換する手段とが接続されている。そして、変換された伝送信号は、無線送信或いは有線送信により、現場外の監督者に映像データとして送信されるようになっている。
【００１１】
カメラ４の背面にはクリップ１３等の取付具が、平蝶番１４を介して、水平軸を中心に回動自在に軸着されている。また、カメラ４の側面には係止片１６が突出され、クリップ１３には、係止片１６にクリック係合すると共に、係止片１６の軌道に沿って並ぶ複数の凹部１７が設けられる。
これらの係止片１６と凹部１７とは、カメラ４とクリップ１３とが相対的に所定角度回動するごとに互いに係合して、カメラ４をその位置で固定する位置決め手段を構成している。
【００１２】
そして、クリップ１３を伝声器カバー１１に着脱可能に固定することにより、カメラ４が面口部７の上部外面の空部分Ａに、平蝶番１４を介して上下に回動自在に取り付けられる。
また、カメラ４は、適当なアングルに調節した位置で、係止片１６と凹部１７とがクリック係合することにより固定される。
なお、カメラ４を伝声器カバー１１に取り付けると、ケーブル１５は伝声器カバー１１の裏を通って面口部７の外面に露出し、信号変換手段に接続される。
【００１３】
このように、面口部７の伝声器カバー１１にカメラ４を取り付けると、カメラ４は下方視野限界線ａよりも下方の死角に設置されることになるため、カメラ４の装着の有無によって装着者の視野が妨げられることはない。
また、カメラ４を上下に回動させて、図２のように、破線で示すカメラ４の視野と実線で示す装着者の視野とがずれないように、カメラアングルを調節することができる。
【００１４】
なお、カメラとクリップとを、平蝶番以外の手段によって、相対的に上下方向に回動できるよう軸着することも可能である。また、カメラを着脱自在とせずに、伝声器カバーに内蔵することもあるが、この場合は、伝声器カバーのみを変更するだけで済み、他の部品はそのまま使用できる。
さらに、カメラの位置決め手段としては、カメラ側と面口部側とに、互いに噛み合うギヤをそれぞれ装着することもできる。
また、全面形面体を２眼式面体とすることもでき、ホースジョイントに代えて濾材取付口を設けても良い。
【００１５】
【発明の効果】
請求項１に係る発明によれば、装着者の死角にあって、装着者の目に接近した面口部の上部にカメラを取り付けたので、装着者の視野がカメラで遮られて着用感が悪化する心配が無く、カメラ視野と装着者の視野とのズレも少なくて済み、しかも、カメラを上下に回動できるので、装着者の視野に合わせて、或いは状況に応じてカメラアングルを変更することが可能である。
また、カメラを面口部の外面に取り付けてあるため、状況に対応して多種類のレンズを使用することができ、面体を脱着することなくカメラアングルを簡単に変更できる。
請求項２に係る発明によれば、すでに製品化されている様々な種類の面体に、部品を変更することなくカメラを装着することが可能で、コストの増大を抑制することができる。
【図面の簡単な説明】
【図１】本発明の実施形態を示すカメラ外付型全面形面体の斜視図
【図２】同上の側面図
【図３】全面形面体の正面図
【図４】カメラの側面図
【符号の説明】
１  カメラ外付型全面形面体
２  面体本体
３  ノーズカップ
４  カメラ
５  目枠
６  アイピース
７  面口部
８  ホースジョイント
９  供給弁
１０  吸気ホース
１１  伝声器カバー
１２  レンズ
１３  クリップ
１４  平蝶番
１５  ケーブル
１６  係止片
１７  凹部
【図１】
0004362563.tif 000002
【図２】
0004362563.tif 000003
【図３】
0004362563.tif 000004
【図４】
0004362563.tif 000005